(57)【要約】【課題】屋外に設置される機器、例えば、列車無線中継機のように使用時の発熱量が大きく、線路脇などの鉄粉などの異物が舞う環境に設置される機器を、保護することができ、さらに、この保護を従来より低い消費電力で実現できる機器の保護装置を提供することを目的とする。【解決手段】保護対象の機器である電子機器１を収納する筐体２と、外気を水中に通過させることにより濾過し、当該濾過後の外気を筐体２内に供給する濾過装置（３，３ａ，４）とを備える。【選択図】図１
2007335620.tif 000002
【特許請求の範囲】
【請求項１】
機器を収納する筐体と、
外気を水中に通過させることにより濾過し、当該濾過後の前記外気を前記筐体内に供給する濾過装置とを備える、
機器の保護装置。
【請求項２】
前記濾過装置は、
前記筐体内に設けられた、
請求項１に記載の機器の保護装置。
【請求項３】
前記濾過装置は、
前記水中を通過している前記外気を前記水中に拡散させる拡散用プロペラを備える、
請求項１または請求項２に記載の機器の保護装置。
【請求項４】
前記濾過装置は、
濾過後の前記外気を冷却する冷却手段をさらに備える、
請求項１乃至請求項３のいずれかに記載の機器の保護装置。
【請求項５】
前記濾過装置は、
前記外気を濾過する水が蓄えられた水槽と、
濾過後の前記外気を前記水槽から前記筐体内に導出する通気路とをさらに備え、
前記冷却手段は、前記通気路に添設され、
前記通気路は、
当該通気路内に結露する水を当該通気路を介して前記水槽内に還流する、
請求項４に記載の機器の保護装置。
【請求項６】
前記冷却手段は、
前記通気路内に配設された冷却フィンを備える、
請求項５に記載の機器の保護装置。
【発明の詳細な説明】
【技術分野】
【０００１】
本発明は、機器を防塵状態で冷却することにより機器を保護する機器の保護装置に関するものである。
【背景技術】
【０００２】
屋外に設置される電子機器には、使用時の発熱量が大きいため冷却を必要とするものがある。また、例えば、列車無線中継機のような電子機器では、鉄粉などの異物が舞う環境に設置されるため、電子機器の周囲を防塵状態にすることがさらに必要である。このような必要性から、電子機器を防塵状態で冷却する機器の保護装置が発明されている。特許文献１には、筐体内に電子機器を密閉して収納し、その筐体内にエアコンなどの空調機を設けることにより、防塵状態で冷却する機器の保護装置が記載されている。
【０００３】
また、その他に想定される構成として、筐体内に電子機器を密閉して収納し、その筐体内に外気を取り込む吸引口と、筐体内の空気を排気する排気口とを設け、吸引口にエアフィルターとファンを設けた構成が想定される。このような機器の保護装置によれば、外気をファンで筐体内に取り込んだ場合に、吸引口のエアフィルターによって異物が取り除かれた外気をファンで筐体内に送り込み、排気口から排熱することにより、電子機器を防塵状態で冷却することができる。
【０００４】
【特許文献１】特開２００１−１４８５９０号公報
【発明の開示】
【発明が解決しようとする課題】
【０００５】
しかしながら、特許文献１に記載された機器の保護装置では、エアコンなどの空調機を用いるため、消費電力が大きくなる問題がある。また、想定した機器の保護装置では、十分な通風量が得られるようにするためにフィルターの目を荒くすると、微細な異物がフィルターを通過して電子機器内に進入し、電子機器が故障するという問題がある。逆にフィルターの目を細かくすると、フィルターに目詰まりが生じ、風量が低下して一定の冷却効果が得られなくなるため、電子機器が高温になって安定に動作しなくなる。それらの不具合を未然に防ぐためには、フィルターの清掃や交換作業を頻繁に行わなければならないという問題がある。
【０００６】
この発明は、上記のような問題点を解決するためになされたものであり、屋外に設置される電子機器を防塵状態で冷却して電子機器を保護することができ、さらに、この保護を従来より低い消費電力で実現できる機器の保護装置を得ることを目的とする。
【課題を解決するための手段】
【０００７】
本発明に係る機器の保護装置は、機器を収納する筐体と、外気を水中に通過させることにより濾過し、当該濾過後の前記外気を前記筐体内に供給する濾過装置とを備える。
【発明の効果】
【０００８】
本発明の機器の保護装置によれば、屋外に設置される電子機器を防塵状態で冷却することができるため、電子機器を保護することができ、さらに、この保護を低い消費電力で実現できる。
【発明を実施するための最良の形態】
【０００９】
＜実施の形態１＞
本実施の形態に係る機器の保護装置の構成図を図１に示す。この機器の保護装置は、図１に示すように、保護対象の機器である電子機器１を収納する密閉構造の筐体２と、内部に水３ａが貯められた水槽３と、バブリング用吸気管４と、排気管５と、吸気用ファン６と、排気用ファン７とを備える。
【００１０】
バブリング用吸気管４は、その管内に取り付けられた吸気用ファン６によって、筐体２の外部から筐体２内に外気を吸気する。このバブリング用吸気管４の出口は、水槽３内の水３ａに浸されている。このように構成すると、吸気用ファン６によってバブリング用吸気管４から吸気された外気は、水槽３内の水３ａに通過される。そして、外気がバブリング用吸気管４の出口からバブルとなって水面まで上昇する間に、外気に含まれる異物、および、水蒸気は、水３ａと接触する。その結果、異物、および、水蒸気は水３ａに取り込まれ、異物は水槽３内に沈積する。その一方で、大半の外気は水を通過するため、外気のみが筐体２内に供給される。
【００１１】
こうして、水槽３と、水３ａと、バブリング用吸気管４は、外気を水中に通過させることにより濾過し、当該濾過後の外気を筐体２内に供給する濾過装置を構成する。なお、濾過装置は、筐体２の外部に設けてもよいが、筐体２内に設けることにより、機器の保護装置を容易に設置できるようにしている。排気管５は、その管内に取り付けられた排気用ファン７により、筐体２内の空気を筐体２の外部に排気する。
【００１２】
図２は、上記濾過装置の断面を拡大した図である。図のように、濾過装置は、外気を濾過する水３ａが蓄えられた水槽３と、拡散用プロペラ８と、ペルチェ冷却素子９と、通気路を構成する配管１０と、冷却フィン１１を備える。
【００１３】
拡散用プロペラ８は、水中を通過している外気を水中に拡散させるものである。拡散用プロペラ８を図のようにバブリング用吸気管４の出口に設けた場合には、吸気用ファン６から吸引した空気の圧力により、拡散用プロペラ８が回転する。冷却手段を構成するペルチェ冷却素子９は、濾過後の外気を冷却する冷却素子である。本実施の形態では、ペルチェ冷却素子９は、濾過後の外気を水槽３から筐体２内に導出する配管１０に添設されているが、水槽３が図のような筐体である場合には、その筐体上側から濾過後の外気を冷却してもよい。この冷却手段は、冷却フィン１１を備えており、この冷却フィン１１は配管１０内に斜め下方に左右交互に突出して配設されている。ペルチェ冷却素子９は、この冷却フィン１１および配管壁を介して濾過後の外気を冷却する。配管１０は、濾過後の外気を水槽３から筐体２内に導出するものであり、ペルチェ冷却素子９の冷却によって冷却フィン１１および配管１０内に結露する水を、配管１０を介して落下させることにより水槽３内に還流する。
【００１４】
以上のように構成された機器の保護装置は、濾過装置によって異物、水蒸気が取り除かれた外気によって、電子機器１を強制空冷し、電子機器１の熱を吸熱した空気を排気管５から排熱することができる。こうして、電子機器１を防塵状態で冷却することができ、電子機器１を保護することができる。また、従来のように空調機を用いないため、その保護を従来より低い消費電力で実現することができる。
【００１５】
また、拡散用プロペラ８により、水３ａ中を通過している外気を水槽３内の水３ａ中に拡散し、外気の泡を小さくすることができる。その結果、水中における泡の上昇方向に対する断面積が大きくなるため、上昇方向への粘性が増加し、上昇速度が遅くなる。こうして、外気の泡を小さくして水面に到達するまでの時間を長く、つまり、外気と水３ａとの接触時間を長くすることにより、効率よく異物を水３ａに取り込むことができる。さらに、外気を小さな泡にすると、外気が水３ａと接触する面積も大きくなるので、より効率よく異物を水３ａに取り込むことができる。
【００１６】
また、濾過後の外気をペルチェ冷却素子９によって冷却することにより、その外気に含まれる水分を水滴として取り除くことができる。また、冷却フィン１１を用いて、外気を冷却する面積を大きくすることにより、外気に含まれる水分をより確実に取り除くことができる。このように、外気を除湿することにより、電子機器１を湿気から保護することができるため、電子機器１を安定に動作させることが可能となる。
【００１７】
また、外気を吸気しているか否かを問わずに、水槽３内の水３ａは水蒸気となって蒸発して徐々に減少するが、外気を循環させることにより、さらに減少は加速すると考えられる。しかし、本実施の形態のように、配管１０内を冷却し、配管１０内に結露する水を水槽３に還流すれば、水３ａの減少を防ぐことができるため、水槽３内の水３ａの補給をする手間を省くことができる。
【図面の簡単な説明】
【００１８】
【図１】実施の形態１に係る機器の保護装置を示す図である。
【図２】実施の形態１に係る機器の保護装置の濾過装置を示す図である。
【符号の説明】
【００１９】
１  電子機器、２  筐体、３  水槽、３ａ  水、４  バブリング用吸気管、５  排気管、６  吸気用ファン、７  排気用ファン、８  拡散用プロペラ、９  ペルチェ冷却素子、１０  配管、１１  冷却フィン。
【図１】
2007335620.tif 000003
【図２】
2007335620.tif 000004